(57)【要約】 【課題】  小型化した機械的、かつ電気的で、高信頼性の端子を有する線輪部品を得る。【解決手段】  磁性体基板１１、巻線３、端子１２にて構成されたチョークコイルにおいて、 前記端子は、二つ以上の部品を機械的な接合で前記磁性体基板１１に固定されており、前記端子１２は、片側に鍔を有する円柱と、前記円柱の外形寸法を内径とするリングとを前記円柱部分を、前記磁性体材料に設けられた中空部分に、貫通させ、円柱の、鍔と反対側の端部を機械的につぶして固定されたチョークコイルとする。   【選択図】  図１
2006073853.tif 000002
【特許請求の範囲】
【請求項１】
磁性体材料、巻線、端子にて構成された線輪部品において、前記端子は、第１の部材と、第２の部材とで構成され、前記第１の部材と第２の部材とは、機械的な変形手段にて前記磁性体材料に固定されたことを特徴とする線輪部品。
【請求項２】
前記端子は、第１の部材を、片側に鍔を有する柱状物体とし、第２の部材を、前記柱状物体の断面形状より、大なる寸法の抜き部分を有する板とし、前記第１の部材の柱状部分を、前記磁性体材料に設けられた中空部分に、貫通させ、柱状物体の鍔と反対側の端部を機械的につぶされ固定されたことを特徴とする請求項１に記載の線輪部品。   
【請求項３】
前記端子は、第１の部材を、片側に鍔を有する筒とし、第２の部材を、片側に鍔を有する柱状物体とし、前記筒は、前記磁性体材料に設けられた中空部分に貫通され、前記柱状物体の鍔を有する側の中央を機械的に変形させて固定されたことを特徴とする請求項１に記載の線輪部品。
【請求項４】
前記端子は、第１の部材を、片側に鍔を有する柱状物体とし、第２の部材を、前記柱状物体の断面形状より、大なる寸法の抜き部分を有する板と、前記板の平面方向と略直角に曲がったガイドとで構成されたアングル状部材とし、前記柱状物体の柱状部を、前記磁性体材料に設けられた中空部分に貫通させ、第１の部材での鍔と反対側の柱状部の端部を機械的に変形させて固定されたことを特徴とする請求項１に記載の線輪部品。   
【請求項５】
機械的な変形手段にて固定された前記第１の部材と第２の部材との接合部近傍が、はんだにて補強の接合がなされたことを特徴とする請求項１ないし４のいずれかに記載の線輪部品。
【請求項６】
機械的な変形手段にて固定された前記第１の部材と第２の部材との接合部近傍が、導電性接着材にて補強の接合がなされたことを特徴とする請求項１ないし４のいずれかに記載の線輪部品。
【請求項７】
機械的な変形手段にて固定された前記第１の部材と第２の部材との接合部近傍が、熱圧着にて補強の接合がなされたことを特徴とする請求項１ないし４のいずれかに記載の線輪部品。
【請求項８】
前記磁性体材料に設けられた中空部分の形状は、円形、あるいは角形、あるいは一部の区間が外部に開放された略円形のいずれかとすることを特徴とする請求項２ないし４のいずれかに記載の線輪部品。 
【発明の詳細な説明】
【技術分野】
【０００１】
本発明は、主として、電子部品、電源機器、携帯端末機器などに使用される線輪部品に関し、特に線輪部品での端子の構造に関する。       
【背景技術】
【０００２】
従来の線輪部品の端子は、第１に線輪部品の磁性体基板の端部に、はめ合わせるタイプの電極を持つ線輪部品があった。また、第２に、接着剤で磁性体基板に接着するタイプの電極を持つ線輪部品があった。また、第３に、磁性体基板にめっきを施すか、あるいは導電部材を印刷して形成するタイプの電極を持つ線輪部品があった。
【０００３】
例えば、特許文献１には、磁性体基板にコの字型ではめ込んで形成した端子を有するチョークコイルについて記載されている。  
【０００４】
図８は、従来の線輪部品の一例であるチョークコイルの説明図である。図８（ａ）は、チョークコイルの外観図であり、図８（ｂ）は、前記チョークコイルでの電極の拡大図である。図８に示すチョークコイルは、磁性体基板１１ａと壺型コア２００とが合体して形成された磁芯と、前記壺型コア２００の中足の周りに配置された巻線３００と、前記磁性体基板の両側のコーナの部分に、はめ込まれた接着端子８１とで構成されている。ここで、巻線３００から引き出された引き出し線４１０は、前記接着端子８１に、はんだ等により電気的に接合されている。
【０００５】
また、図９は、（棒状の）磁性体基板５００にめっきを施して形成するタイプのめっき電極９１を持つチョークコイルの説明図である。
【０００６】
【特許文献１】特開２００４−９５６７３号公報
【発明の開示】
【発明が解決しようとする課題】
【０００７】
従来の線輪部品の電極は、磁性体基板の端部に、はめ合わせるタイプの端子の場合、端子の小型化が難しかった。ここで、モールド型の線輪部品にて、端子を接着し、固定する場合、前記端子は、信頼性の面で問題があった。めっき品では製造工程の調整が難しい。
【０００８】
本発明は、小型化した機械的、かつ電気的な高信頼性を確保した端子を有する線輪部品を提供することである。
【課題を解決するための手段】
【０００９】
本発明の線輪部品の端子は、従来の欠点を除去するため、二つ以上の部材をかしめることにより端子として一体化することを特徴とする。
【００１０】
即ち、本発明は、磁性体材料、巻線、端子にて構成された線輪部品において、前記端子は、第１の部材と、第２の部材とで構成され、前記第１の部材と第２の部材とは、機械的な変形手段にて前記磁性体材料に固定された線輪部品である。
【００１１】
また、本発明は、前記端子は、第１の部材を片側に鍔を有する柱状物体とし、第２の部材を、前記柱状物体の断面形状より大なる寸法の抜き部分を有する板とし、前記第１の部材の柱状部分を、前記磁性体材料に設けられた中空部分に貫通させ、柱状物体の鍔と反対側の端部を機械的につぶされ固定された線輪部品である。   
【００１２】
また、本発明は、前記端子は、第１の部材を片側に鍔を有する筒とし、第２の部材を片側に鍔を有する柱状物体とし、前記筒は前記磁性体材料に設けられた中空部分に貫通され、前記柱状物体の鍔を有する側の中央を機械的に変形させて固定された線輪部品である。
【００１３】
また、本発明は、前記端子は、第１の部材を片側に鍔を有する柱状物体とし、第２の部材を前記柱状物体の断面形状より大なる寸法の抜き部分を有する板と、少なくとも前記板の面と略直角に曲がったガイドとで構成されたアングル状部材とし、前記柱状物体の柱状部を前記磁性体材料に設けられた中空部分に貫通させ、第１の部材での鍔と反対側の柱状部の端部を機械的に変形させて固定された線輪部品である。   
【００１４】
また、本発明は、機械的な変形手段にて固定された後の第１の部材と第２の部材との接合部近傍が、はんだにて補強の接合がなされた線輪部品である。
【００１５】
また、本発明は、機械的な変形手段にて固定された後の第１の部材と第２の部材との接合部近傍が、導電性接着材にて補強の接合がなされた線輪部品である。
【００１６】
また、本発明は、機械的な変形手段にて固定された後の第１の部材と第２の部材との接合部近傍が、熱圧着にて補強の接合がなされた線輪部品である。
【００１７】
また、本発明は、前記磁性体材料に設けられた中空部分の形状は、円形、あるいは角形、あるいは一部の区間が外部に開放された略円形のいずれかとする線輪部品である。
【発明の効果】
【００１８】
本発明によれば、小型化した、機械的な高信頼性を確保し、かつ製造方法が容易な電極を有する線輪部品を提供することができる。
【発明を実施するための最良の形態】
【００１９】
本発明の実施の形態による線輪部品について、以下に説明する。
【００２０】
本発明の線輪部品は、複数の磁性体コア（磁性体材料）と、巻線、端子とで構成された線輪部品であって、前記端子を、１つの磁性体コアの端部に、機械的な手段にて、固定した線輪部品である。ここで、前記端子は、第１の部材と、第２の部材とから構成されている。
【００２１】
第１の部材と第２の部材の組合わせは各種あり、以下に説明する。第１の例は、端子の第１の部材を、片側に鍔を有する柱状物体とし、端子の第２の部材を、前記柱状物体の断面形状より、大なる寸法の抜き部分を有する板とする。前記第１の部材の柱状部分を、前記磁性体コアに設けられた中空部分に、貫通させ、柱状物体の鍔と反対側の端部を機械的につぶして、端子が形成される。   
【００２２】
また、第２の例は、端子の第１の部材を、片側に鍔を有する筒とし、端子の第２の部材を、片側に鍔を有する柱状物体とする。前記第１の部材での筒は、前記磁性体コアに設けられた中空部分に貫通され、前記柱状物体の鍔を有する側の中央を機械的に変形させて、端子が形成される。
【００２３】
また、第３の例は、端子の第１の部材を、片側に鍔を有する柱状物体とし、端子の第２の部材を、前記柱状物体の断面形状より、大なる寸法の抜き部分を有する板と、少なくとも前記板の面と、略直角に曲がったガイドで構成されたアングル状部材とする。前記第２の部材の柱状物体の柱状部を、前記磁性体材料に設けられた中空部分に、貫通させ、第１の部材での鍔と反対側の柱状部の端部を機械的に変形させて端子を形成する。
【００２４】
更に、本発明は、前記の３つの例の各々について、前記機械的な手段にて磁性体コアの端部に固定した端子について、第１の部材と第２の部材との接合部近傍が、はんだにて補強の接合がなされる。
【００２５】
また、本発明は、前記の３つの例の各々について、前記機械的な手段にて磁性体コアの端部に固定した端子について、第１の部材と第２の部材との接合部近傍が、導電性接着材にて補強の接合がなされる。
【００２６】
また、本発明は、前記の３つの例の各々について、前記機械的な手段にて磁性体コアの端部に固定した端子について、第１の部材と第２の部材との接合部近傍が、熱圧着にて補強の接合がなされる。
【００２７】
ここで、磁性体材料の中空部分の形状については、円形、あるいは角形、あるいは一部の区間が外部に開放された略円形のいずれかとすることが適当であるが、第１の部材と第２の部材が接合して固定される形状であれば良い。図４は、磁性体材料の中空部分の形状の説明図である。図４（ａ）は、中空部分の形状が円形中空穴の場合を示す図であり、図４（ｂ）は、中空部分の形状が角形中空穴の場合を示す図である。
【００２８】
図５は、磁性体材料の中空部分の形状の説明図であり、中空部分の形状が切りかき穴の場合を示す図である。これら図４、図５に示すように、磁性体基板１１（磁性体材料）の中空部分の形状が円形の中空穴１０１、角形の中空穴１０２、切りかきのある中空穴１０３のような形状であれば、端子の固定に都合が良い。
【実施例】
【００２９】
図１は、本発明の実施例のチョークコイルの説明図である。図１（ａ）は、チョークコイルの外観図であり、図１（ｂ）は、前記チョークコイルでの端子の拡大図である。図１に示すチョークコイルは、磁性体基板１１と壺型コア２とが合体して形成された磁芯と、前記壺型コア２の中足部２ａの周りに配置された巻線３と、前記磁性体基板１１の両側のコーナの部分に機械的に接合された端子１２とで構成されている。ここで、巻線３から引き出された巻線引き出し線４１は、前記端子１２の接合部分の近傍に巻かれて電気的に接続されている。
【００３０】
（実施例１）
図２は、図１に示すチョークコイルの端子１２の機械的接合に関する説明図である。図２に示すように、端子１２は第１の部材であるリベット状部品２２と、第２の部材であるドーナツ状の円盤２１とで構成され、磁性体基板１１の両端部に開けられた中空穴に、リベット状部品２２を差込み、ついでドーナツ状の円盤２１を配置して、リベット状部品２２の先端部分をかしめることにより、両者が機械的に接合され端子１２が構成される。
【００３１】
（実施例２）
図３は、本発明の実施例のチョークコイルの他の電極の説明図であり、図１に示すチョークコイルの電極１２の機械的接合に関する説明図である。図３に示すように、端子は、第１の部材であるリベット状はめあい部品３１と、第２の部材である中空リベット状部品３２とで構成されている。
【００３２】
ここで、磁性体基板の両端部に開けられた中空穴に前記中空リベット状部品３２を差込む。ついで、中空リベット状部品３２の中空部分にリベット状はめあい部品３１を装着し、中空リベット状部品３２の両端部を機械的にかしめることにより電極が構成される。
【００３３】
（実施例３）
図７は、本発明の実施例のチョークコイルの他の電極の説明図である。図７では、電極の第２の部材のみを図示している。アングル付き部品７１は、ドーナツ状の円盤の周囲に、ドーナツ状の円盤の面に対して、略直角に曲がったアングル状部材７１aと７１ｂが設けられている。前記アングル状部材７１aと７１ｂによって、機械的かしめの後の電極の回転を防止できる。
【００３４】
（実施例４）
図６は、チョ
ークコイルの電極の機械的かしめ以外の、他の接合部材を用いて補強された電極構造の詳細を示す断面図である。図６に示すように、電極は第１の部材であるリベット状部品２２と、第２の部材であるドーナツ状の円盤２１と、他の接合部材である、はんだ６１で構成されている。はんだ６１は、リベット状部品２２と、ドーナツ状の円盤２１を機械的かしめを行ったあとに配置される。
【００３５】
また、この他の接合部材は、導電性接着材でも良い。更に、この他の接合部材は、リベット状部品２２とドーナツ状の円盤２１の周囲に施されたＮｉ層とＳｎ層とが、加熱処理し、熱圧着にて前記Ｎｉ層とＳｎ層とが接合し、これによって補強の接合がなされても良い。      
【００３６】
本発明の電極構造は、素体にストレスを与えることなく機械的な信頼性と、電気的な信頼性を有する電極を構成できる。  
【図面の簡単な説明】
【００３７】
【図１】本発明の実施例のチョークコイルの説明図。図１（ａ）は、チョークコイルの外観図、図１（ｂ）は、前記チョークコイルの端子の拡大図。
【図２】図１のチョークコイルの電極の機械的接合の説明図。
【図３】チョークコイルの電極の他の実施例の機械的接合の説明図。
【図４】磁性体材料の中空部分の形状の説明図。図４（ａ）は、中空部分の形状が円形の中空穴の場合を示す図、図４（ｂ）は、中空部分の形状が角形の中空穴の場合を示す図。
【図５】磁性体材料の中空部分の形状の説明図、中空部分の形状が切りかき穴の場合を示す図。
【図６】チョークコイルの電極の他の接合部材で補強された電極構造の詳細を示す断面図。
【図７】チョークコイルの電極の保持板が配置された電極の説明図。
【図８】従来のチョークコイルの説明図。図８（ａ）は、チョークコイルの外観図、図８（ｂ）は、チョークコイルの電極の拡大図。
【図９】磁性体材料基台に、めっきを施して形成するタイプの電極を持つチョークコイルの説明図。
【符号の説明】
【００３８】
２，２００    壺型コア
２ａ，２００ａ    中足部
３    巻線
４１，４１０    巻線引き出し線
１１，１１ａ，１１０    磁性体基板
１２，１２ａ，１２ｂ    端子
２１    ドーナツ状の円盤
２２    リベット状部品
３１    リベット状はめあい部品
３２    中空リベット状部品     
６１    補助接合材料
７１    アングル付き部品
７１ａ，７１ｂ    アングル状部材
８１    接着端子
９１    めっき電極
１０１    円形の中空穴
１０２    角形の中空穴
１０３    中空穴
５００    （棒状の）磁性体基板
【図１】
2006073853.tif 000003
【図２】
2006073853.tif 000004
【図３】
2006073853.tif 000005
【図４】
2006073853.tif 000006
【図５】
2006073853.tif 000007
【図６】
2006073853.tif 000008
【図７】
2006073853.tif 000009
【図８】
2006073853.tif 000010
【図９】
2006073853.tif 000011